(57)【要約】【課題】光学測定装置に取り付けられた対物レンズの特性を容易に判別可能な対物レンズのセットを安価に提供する。【解決手段】対物レンズのセットは光学測定装置に取付可能な対物レンズを複数含み、これら複数の対物レンズはそれぞれ異なる特性を有する。この対物レンズは、レンズと、レンズを覆うカバーとを備え、カバーの外周面には、上記特性を示す情報が表記される情報表記部と、触覚により特性を判別可能な判別手段と、が設けられている。【選択図】図１
2019109355.tif 000002
【特許請求の範囲】
【請求項１】
光学測定装置に取付可能な対物レンズを複数含み、これら複数の対物レンズがそれぞれ異なる特性を有する対物レンズのセットであって、
前記対物レンズは、レンズと、このレンズを覆うカバーと、を備え、
前記カバーには、
前記特性を示す情報が表記される情報表記部と、
触覚により前記特性を判別可能な判別手段と
が設けられている
ことを特徴とする対物レンズのセット。
【請求項２】
前記カバーは、前記カバーの外周面に周方向に沿って設けられたローレット部を更に備え、
前記判別手段は、前記特性ごとに外形が異なる前記ローレット部である
ことを特徴とする請求項１に記載の対物レンズのセット。
【請求項３】
前記判別手段は、前記レンズの光軸方向に延伸し、前記カバーに周方向に沿って設けられた１又は複数の溝又は突条を含み、
前記溝又は突条の本数、間隔及び幅の少なくとも１つによって前記特性を判別可能である
ことを特徴とする請求項１又は２に記載の対物レンズのセット。
【請求項４】
前記判別手段は、前記カバーの周方向に延伸し、前記レンズの光軸方向に沿って設けられた１又は複数の溝又は突条を含み、
前記溝又は突条の本数、間隔及び幅の少なくとも１つによって前記特性を判別可能である
ことを特徴とする請求項１〜３のいずれか１項に記載の対物レンズのセット。
【請求項５】
前記判別手段は、触覚により独立して前記特性を判別可能な判別部を複数備える
ことを特徴とする請求項１〜４のいずれか１項に記載の対物レンズのセット。
【請求項６】
前記複数の対物レンズの少なくとも１つの前記判別手段は複数の判別部を備え、
前記複数の判別部は前記カバーに周方向に沿って第１の間隔を介して設けられ、
前記複数の判別部の各々には、複数の溝又は突条が、前記カバーに周方向に沿って第２の間隔を介して設けられ、
前記第１の間隔は、前記第２の間隔より大きい
ことを特徴とする請求項１〜４のいずれか１項に記載の対物レンズのセット。
【請求項７】
前記特性が倍率であることを特徴とする請求項１〜６のいずれか１項に記載の対物レンズのセット。
【請求項８】
請求項１〜７のいずれか１項に記載の対物レンズのセットに含まれる対物レンズ。
【発明の詳細な説明】
【技術分野】
【０００１】
本発明は、光学顕微鏡や画像測定機等の光学測定装置に取付可能な対物レンズ及び対物レンズのセットに関する。
【背景技術】
【０００２】
光学顕微鏡や画像測定機等、ワークの観察や測定を行う光学測定装置が知られている。これら光学測定装置の鏡筒の下端には、例えば、ワークと対向配置される対物レンズが取り付けられる。また、この対物レンズの周辺には、ワークを照明するリングライトが取り付けられる場合がある（例えば、特許文献１）。
【０００３】
この様な光学測定装置においては、対物レンズが交換可能に構成されることがある（例えば、特許文献２）。この場合、ユーザは、倍率等の特性が異なる複数の対物レンズを用意し、これら複数の対物レンズから一の対物レンズを選択して、光学測定装置に取り付けることが出来る。この様な対物レンズには、一般的に、倍率等の特性を示す情報が表記された情報表記部が設けられる。
【０００４】
ここで、ユーザが光学測定装置の鏡筒に取り付けられている対物レンズを判別しようとする場合、例えば、対物レンズのカバーに設けられた情報表記部を目視することが考えられる。しかしながら、対物レンズが光学測定装置の鏡筒に取り付けられている場合、情報表記部を目視することが困難な場合がある。例えば、対物レンズの周辺にリングライト等が配置されている場合、これが邪魔になり、情報表記部を目視することは困難である。情報表記部を目視するためにはリングライトの中を覗き込むことが考えられるが、このために姿勢を変える必要があるため作業性が悪い。また、情報表記部がリングライトの光によって生成された影の部分に位置していたり、リングライトの光が眩しすぎたりして情報表記部を目視することが出来ないこともある。また、対物レンズの周辺にリングライトが配置されていない場合であっても、鏡筒や対物レンズの構成によっては、情報表記部がユーザ側でなく光学測定装置側に向いてしまう場合がある。
【０００５】
この様な問題を解決すべく、特許文献３には、円パターンの倍率認識用プレートをテーブルに装着し、基準設計倍率の基準レンズを用いて当該倍率認識用プレートの円パターンの直径を予め測定し、測定開始時に実際のピクセル数を測定し、１つの概略の倍率を算出し、算出された値に最も近い設計倍率から１つの倍率を計算することが記載されている。しかしながら、この様なシステムを用いる場合、構成の複雑化を招いてしまい、その結果、光学測定装置の部品点数が増加し、高価になってしまうという問題があった。
【０００６】
また別の解決手段としては、センサ等を用いて対物レンズを自動で認識することも考えられるが、そのためのシステムの構築や部品の追加が必要となり、対物レンズのセットを安価に提供出来ないという問題があった。
【先行技術文献】
【特許文献】
【０００７】
【特許文献１】特表２０１６−５１３２５５号公報
【特許文献２】特開２０１１−８２４５号公報
【特許文献３】特開２００１−４１７１０号公報
【発明の概要】
【発明が解決しようとする課題】
【０００８】
本発明は、この様な課題に鑑みなされたものであり、光学測定装置に取り付けられた対物レンズの特性を容易に判別可能な対物レンズのセットを安価に提供することを目的とする。
【課題を解決するための手段】
【０００９】
上記課題を解決するため、本発明の一の実施形態に係る対物レンズのセットは、光学測定装置に取付可能な対物レンズを複数含み、これら複数の対物レンズがそれぞれ異なる特性を有する対物レンズのセットであって、対物レンズは、レンズと、このレンズを覆うカバーと、を備え、このカバーには、特性を示す情報が表記される情報表記部と、触覚により特性を判別可能な判別手段と、が設けられている。
【００１０】
この様な構成によれば、ユーザは、情報表記部を視認することなく、判別手段に触れることによって対物レンズの特性を容易に判別可能である。また、触覚によって特性を判別可能な判別手段は、例えば、カバーに凹凸等を設けることにより、安価に実現可能である。
【００１１】
上記カバーには、このカバーの外周面に周方向に沿ってローレット部を設けることが出来る。また、このローレット部の外形を特性ごとに異ならせて、これを上記判別手段とすることも出来る。
【００１２】
この様な構成は、ローレット部の外形に変更を加えることによって実現可能であり、新たな部品や新たな製造工程等を必要としないため、安価に実現可能である。
【００１３】
また、上記判別手段には、レンズの光軸方向に延伸する溝又は突条を、上記カバーに周方向に沿って１又は複数設けることも出来るし、上記カバーの周方向に延伸する溝又は突条を、レンズの光軸方向に沿って１又は複数設けることも出来る。更に、これら溝又は突状の本数、間隔及び幅の少なくとも１つによって上記特性を判別可能とすることも出来る。
【００１４】
また、上記判別手段には、触覚により独立して上記特性を判別可能な判別部を複数設けることも出来る。
【００１５】
また、上記セットに含まれる対物レンズの少なくとも１つの上記判別手段には、複数の判別部を設けることが出来る。この複数の判別部は、上記カバーに周方向に沿って第１の間隔を介して設けることが出来る。また、複数の判別部の各々には、複数の溝又は突条を、カバーに周方向に沿って第２の間隔を介して設けることが出来る。更に、第１の間隔は、第２の間隔より大きくすることも出来る。
【００１６】
また、上記特性は、倍率とすることも出来る。
【００１７】
本発明の一の実施形態に係る対物レンズは、上述の対物レンズのセットに含まれる対物レンズである。
【発明の効果】
【００１８】
この様な対物レンズのセットによれば、光学測定装置に取り付けられた対物レンズの特性を容易に判別可能な対物レンズのセットを安価に提供することが出来る。
【図面の簡単な説明】
【００１９】
【図１】本発明の第１実施形態に係る対物レンズのセットを示す正面図である。
【図２】同対物レンズのセットを示す平面図である。
【図３】本発明の第２実施形態に係る対物レンズのセットを示す図である。
【図４】本発明の第３実施形態に係る対物レンズのセットを示す図である。
【図５】本発明の第４実施形態に係る対物レンズを示す図である。
【図６】本発明の第５実施形態に係る対物レンズを示す図である。
【図７】本発明の第６実施形態に係る対物レンズを示す図である。
【発明を実施するための形態】
【００２０】
以下、図１〜７を参照して、本発明の実施形態に係る対物レンズ及びそのセットについて説明する。尚、以下の説明において、同一の部分には同一の符号を付し、説明を省略する。また、例えば、対物レンズ１１０Ａ、対物レンズ１１０Ｂ等の構成は、まとめて「対物レンズ１１０」の様に表記する場合がある。
【００２１】
［第１の実施形態］
［対物レンズのセット１００］
まず、図１及び図２を参照して、本発明の第１の実施形態に係る対物レンズのセット１００について説明する。
【００２２】
対物レンズのセット１００は、それぞれ異なる倍率を有する対物レンズ１１０Ａ，１１０Ｂ，１１０Ｃを備える。これら対物レンズ１１０は、それぞれ、雄ねじ（取付部）１５０が光学測定装置の鏡筒２００に設けられた雌ねじに螺合することにより、光学測定装置に着脱可能に取り付けられる。尚、対物レンズ１１０の周辺には、リングライト３００が配置されている。
【００２３】
対物レンズ１１０は、ワークに対向配置され、ワークからの反射光等を集光する対物レンズであり、図２に示す通り、レンズ１２０と、レンズ１２０を覆うカバー１３０と、を備えている。また、図１に示す通り、カバー１３０の外周面には、ローレット部１４０、雄ねじ１５０、及び、情報表記部１６０が設けられている。
【００２４】
カバー１３０は、光軸方向に延伸する円筒状の形状を有し、アルミニウム、黄銅、ステンレス、伸銅等の金属又は樹脂等からなる。カバー１３０は、例えば、旋盤加工等を用いて形成される。
【００２５】
ローレット部１４０は、対物レンズ１１０の鏡筒２００に対する着脱時に滑り止めとして機能する部分である。ローレット部１４０は、カバー１３０の外周面に周方向に沿って設けられている。また、ローレット部１４０には、周方向に沿って複数の溝１７１が設けられている。これら複数の溝１７１は、レンズの光軸方向に延伸している。尚、これら溝１７１は、例えば、フライス、エンドミル、スロッター、フライスキー、シャフトキー等の周知の加工方法で形成することが出来る。
【００２６】
情報表記部１６０は、対物レンズ１１０の特性を示す情報が表記される部分である。図示の例においては、対物レンズ１１０の倍率を示す情報が印刷されている。尚、情報表記部１６０への表記方法は印刷に限られず、シール等を張り付けたり、刻印によって行うことも出来る。また、図示の例においては情報表記部１６０とローレット部１４０とが別々に設けられているが、例えば、ローレット部１４０の一部に情報表記部１６０を設けることも出来る。
【００２７】
［判別手段］
本実施形態に係る対物レンズ１１０のカバー１３０の外周面には、触覚により対物レンズ１１０の倍率を判別可能な判別手段が設けられている。判別手段は、例えばカバー１３０に設けられた凹凸等によって実現される。本実施形態においては、対物レンズ１１０ごとにローレット部１４０の外形が異なっており、このローレット部１４０が判別手段として機能する。即ち、本実施形態に係るローレット部１４０は、対物レンズ１１０の鏡筒２００に対する着脱時に滑り止めとして機能するだけでなく、対物レンズ１１０の倍率等の特性を判別するための判別手段としても機能する。
【００２８】
本実施形態に係る対物レンズ１１０のローレット部１４０には、複数の判別部１７０が周方向に沿って第１の間隔ｗ１を介して設けられている。また、これら判別部１７０には、それぞれ、対物レンズ１１０の倍率に応じた本数の溝１７１が設けられている。例えば、１倍の倍率を有する対物レンズ１１０Ａの判別部１７０Ａには１本の溝１７１が、２倍の倍率を有する対物レンズ１１０Ｂの判別部１７０Ｂには２本の溝１７１が、３倍の倍率を有する対物レンズ１１０Ｃの判別部１７０Ｃには３本の溝１７１が設けられている。また、判別部１７０Ｂ，１７０Ｃにおいては、溝１７１が、周方向に沿って第２の間隔ｗ２を介して設けられている。尚、第１の間隔ｗ１は、第２の間隔ｗ２よりも大きい。
【００２９】
この様に構成された対物レンズ１１０の倍率を判別する場合、ユーザは、ローレット部１４０の表面を周方向に沿って指でなぞれば良い。判別部１７０同士の間には比較的大きい第１の間隔ｗ１が設けられており、判別部１７０に含まれる溝１７１同士の間には比較的小さい第２の間隔ｗ２が設けられている。従って、ユーザは、１つの判別部１７０に含まれる溝１７１を一群の溝として判別して、１つの判別部１７０に含まれる溝１７１の本数を明確に判別し、これを数えることによって対物レンズ１１０の倍率を判別することが出来る。
【００３０】
尚、溝１７１の周方向の幅、第１の間隔ｗ１、第２の間隔ｗ２等の下限は、例えば、ユーザの触覚による判別が可能である程度の大きさである。例えば、溝１７１の幅は２ｍｍ以上、第１の間隔ｗ１は５ｍｍ以上、第２の間隔ｗ２は２ｍｍ以上とすることが出来る。また、第１の間隔ｗ１は、第２の間隔ｗ２よりも十分に大きいことが好ましく、例えば、第２の間隔ｗ２の２倍以上の幅とすることが好ましい。また、溝１７１の周方向の幅、第１の間隔ｗ１、第２の間隔ｗ２等の上限は、例えば、ローレット部１４０の外径、ローレット部１４０に設けられる判別部１７０の数、及び、判別部１７０に設けられる溝１７１の本数等に応じて決定される。また、溝１７１は、１つの対物レンズに１つのみ設けることも出来る。
【００３１】
［効果］
図１の例において、光学測定装置の鏡筒２００には、ワークと対向配置される対物レンズ１１０と、この対物レンズ１１０の周辺に配置され、ワークを照明するリングライト３００と、が取り付けられている。
【００３２】
ここで、ユーザが光学測定装置の鏡筒２００に取り付けられている対物レンズ１１０を判別しようとする場合、例えば、対物レンズ１１０のカバー１３０に設けられた情報表記部１６０を目視することが考えられる。しかしながら、対物レンズ１１０の周辺にはリングライト３００が配置されているため、これが邪魔になり、情報表記部１６０を目視することは困難である。情報表記部１６０を目視するためにはリングライト３００の中を覗き込むことが考えられるが、このために姿勢を変える必要があるため作業性が悪い。また、情報表記部１６０がリングライト３００の光によって生成された影の部分に位置していたり、リングライト３００の光が眩しすぎたりして情報表記部１６０を目視することが出来ないこともある。尚、図１の例においては対物レンズ１１０の周辺にリングライト３００が配置されているが、もし仮にリングライト３００を鏡筒２００から取り外したとしても、雄ねじ１５０や、この雄ねじ１５０と螺合する鏡筒２００下端の雌ねじの態様によっては、情報表記部１６０がユーザ側でなく光学測定装置側に向いてしまう場合がある。
【００３３】
そこで、本実施形態に係る対物レンズのセット１００においては、対物レンズ１１０のカバー１３０の外周面に判別手段が設けられている。従って、ユーザは、リングライト３００の下から判別手段に触れることにより、情報表記部１６０を視認することなく、対物レンズ１１０の倍率を容易に判別可能である。
【００３４】
また、本実施形態に係る対物レンズのセット１００においては、カバー１３０の外周面に設けられたローレット部１４０の外形が対物レンズ１１０ごとに異なっており、このローレット部１４０が判別手段として機能する。この様な構成は、ローレット部１４０の外形に変更を加えることによって実現可能であり、新たな部品や新たな製造工程等を必要としないため、安価に実現可能である。
【００３５】
また、判別手段は、対物レンズ１１０を光学測定装置に装着した状態で、ユーザが容易に把持可能な位置に設けられることが望ましい。そのような意味で、対物レンズ１１０の着脱時に必ず把持するローレット部１４０が判別手段として機能することは利点がある。即ち、ローレット部１４０を判別手段とすると、対物レンズの着脱作業で必ず把持する部分に特性の判別手段が形成されていることになるので、対物レンズ１１０の着脱作業と判別作業とを同時に行うことが出来、作業性が向上する。
【００３６】
［第２の実施形態］
次に、図３を参照して、本発明の第２の実施形態に係る対物レンズのセットについて説明する。
【００３７】
本実施形態に係る対物レンズのセットは、それぞれ異なる倍率を有する対物レンズ１１０Ｄ，１１０Ｅ，１１０Ｆを備える。これら対物レンズ１１０は、基本的には第１の実施形態に係る対物レンズ１１０Ａ，１１０Ｂ，１１０Ｃと同様に構成されているが、ローレット部１４０Ｄ，１４０Ｅ，１４０Ｆの構成が異なっている。即ち、本実施形態に係るローレット部１４０には、光軸方向に延伸する溝１７１に加え、周方向に延伸する溝１７２が、光軸方向に沿って１又は複数設けられており、この溝１７２も判別手段の一部として用いられている。図示の例においては、判別部１７０における溝１７１の本数が対物レンズ１１０の倍率の整数部分と対応している。また、溝１７２の本数及び位置が対物レンズ１１０の倍率の小数部分と対応している。
【００３８】
この様に構成された対物レンズ１１０の倍率を判別する場合、ユーザは、第１の実施形態と同様にローレット部１４０の表面を周方向に沿って指でなぞり、続いて、ローレット部１４０の表面を光軸方向に沿って指でなぞれば良い。これによりユーザは、対物レンズ１１０の倍率を容易に判別することが出来る。
【００３９】
尚、図示の例においては溝１７２に倍率の小数部分の数字を対応させていたが、溝１７２には異なる意味づけを行うことも出来る。また、図示の例においては溝１７１と溝１７２とを組み合わせていたが、溝１７１を省略して、溝１７２のみによって判別手段を構成することも出来る。また、図示の例においては溝１７２の本数及び位置によって対物レンズ１１０の倍率を表現しているが、例えば、溝１７２の幅や、溝１７２と溝１７２の間隔によって対物レンズ１１０の倍率を表現することも出来る。
【００４０】
［第３の実施形態］
次に、図４を参照して、本発明の第３の実施形態に係る対物レンズのセットについて説明する。
【００４１】
本実施形態に係る対物レンズのセットは、それぞれ異なる倍率を有する対物レンズ１１０Ｇ，１１０Ｈ，１１０Ｉを備える。これら対物レンズ１１０は、基本的には第１の実施形態に係る対物レンズ１１０Ａ，１１０Ｂ，１１０Ｃと同様に構成されているが、ローレット部１４０Ｇ，１４０Ｈ，１４０Ｉの構成が異なっている。即ち、本実施形態においては、ローレット部１４０に形成された溝１７３が光軸方向に沿って、ローレット部１４０の光軸方向の端部から中間まで延伸している。また、本実施形態においては、ローレット部１４０のワーク側の部分と鏡筒２００側の部分とに、それぞれ異なる意味づけが行われている。図示の例においては、ローレット部１４０のワーク側の部分に設けられた溝１７３の本数が対物レンズ１１０の倍率の整数部分と対応している。また、鏡筒２００側の部分に設けられた溝１７３の本数が対物レンズ１１０の倍率の小数部分と対応している。例えば、２．１倍の倍率を有する対物レンズ１１０Ｈの判別部のうち、ワーク側の部分１７０Ｈ１には２本の溝１７３が、鏡筒２００側の部分１７０Ｈ２には１本の溝１７３が設けられている。
【００４２】
この様に構成された対物レンズ１１０の倍率を判別する場合、ユーザは、ローレット部１４０のワーク側の部分の表面を周方向に沿って指でなぞり、続いて、ローレット部１４０の鏡筒２００側の表面を周方向に沿って指でなぞれば良い。これによりユーザは、対物レンズ１１０の倍率を容易に判別することが出来る。
【００４３】
尚、図示の例においては、ローレット部１４０のワーク側の部分と鏡筒２００側の部分とに設けられた溝１７３の本数に、倍率の整数部分や小数部分に対応する意味づけを行っていた。しかしながら、これらには、それ以外の意味づけを行うことも出来る。また、図示の例に、第２の実施形態に係る溝１７２を組み合わせることも出来る。
【００４４】
［第４の実施形態］
次に、図５を参照して、本発明の第４の実施形態に係る対物レンズ１１０Ｊについて説明する。尚、図５には対物レンズ１１０Ｊを１つのみ図示しているが、対物レンズ１１０Ｊは、対物レンズ１１０Ｊと異なる倍率を有する複数の対物レンズのセットに含まれる。
【００４５】
本実施形態に係る対物レンズ１１０Ｊは、基本的には第１の実施形態に係る対物レンズ１１０と同様に構成されているが、ローレット部１４０Ｊの構成が異なっている。即ち、本実施形態においては、ローレット部１４０Ｊの判別部１７０Ｊに、幅の異なる２種類の溝１７４、１７５が設けられており、これらの溝１７４、１７５に異なる意味づけが行われている。図示の例においては、これらの溝１７４によって２進数が表現されており、太い溝１７４は１を、細い溝１７５は０を表現している。図示の例においては、２３×１＋２２×０＋２１×０＋２０×１＝８＋０＋０＋１＝９が表現されている。
【００４６】
尚、図示の例においては、太い溝１７４と細い溝１７５との組み合わせによって２進数を表現していたが、例えば太い溝１７４によって１０や５等の数を表現する等、太い溝１７４と細い溝１７５とに異なる意味づけを行うことも出来る。また、第２の実施形態の様に、周方向に延伸する溝１７２と組み合わせても良いし、周方向に延伸し、且つ、幅の異なる２種類の溝を、光軸方向に沿って１又は複数設けることも出来る。更に、第３の実施形態の様に、ローレット部１４０のワーク側の部分と鏡筒２００側の部分とに異なる意味づけを行うことも出来る。
【００４７】
［第５の実施形態］
次に、図６を参照して、本発明の第５の実施形態に係る対物レンズ１１０Ｋについて説明する。尚、図６には対物レンズ１１０Ｋを１つのみ図示しているが、対物レンズ１１０Ｋは、対物レンズ１１０Ｋと異なる倍率を有する複数の対物レンズのセットに含まれる。
【００４８】
本実施形態に係る対物レンズ１１０Ｋは、基本的には第１の実施形態に係る対物レンズ１１０と同様に構成されているが、ローレット部１４０Ｋの構成が異なっている。即ち、本実施形態においては、ローレット部１４０に複数の溝１７１が所定の間隔を介して設けられており、これら溝１７１と溝１７１の間に判別部１７０Ｋが設けられている。更に、これら判別部１７０Ｋには、それぞれ、点字によって対物レンズ１１０の倍率が表現されている。
【００４９】
尚、図示の例においては、判別部１７０Ｋに点字を設けていたが、判別部１７０Ｋには点字以外の凹凸等を設けることも出来る。例えば、判別部１７０Ｋに溝１７１よりも細い溝を設け、この溝によって対物レンズ１１０Ｋの倍率を表現することも出来る。
【００５０】
［第６の実施形態］
次に、図７を参照して、本発明の第６の実施形態に係る対物レンズ１１０Ｌについて説明する。尚、図７には対物レンズ１１０Ｌを１つのみ図示しているが、対物レンズ１１０Ｌは、対物レンズ１１０Ｌと異なる倍率を有する複数の対物レンズのセットに含まれる。
【００５１】
本実施形態に係る対物レンズ１１０Ｌは、基本的には第１の実施形態に係る対物レンズ１１０と同様に構成されているが、判別手段（１７０Ｌ）がローレット部１４０Ｌ以外の部分に設けられている。即ち、本実施形態においては、カバー１３０のワーク側の端部に溝１７６が設けられており、この溝１７６によって判別部１７０Ｌが構成されている。一方、ローレット部１４０Ｌには、溝１７１が等間隔に設けられている。
【００５２】
この様に、カバー１３０のワーク側の端部に判別手段を設ける場合であっても、例えば、太さの異なる２種類の溝１７６を利用することも可能である。また、判別手段は、ユーザが触れることの出来る場所であれば、ローレット部１４０及びカバー１３０のワーク側の端部以外の部分に設けることも出来る。
【００５３】
［その他の実施形態］
以上の実施形態においては、判別手段によって判別される特性として倍率を挙げたが、判別される特性はこれに限られるものではない。例えば、対物レンズが通常有する特性、即ち、開口数（ＮＡ）、分解能（Ｒ）、作動距離（ＷＤ）、同焦距離、焦点距離（ｆ）、視野数（ＦＮ）、焦点深度（ＤＦ）等であってもよい。
【００５４】
また、以上の実施形態においては、判別手段に溝等の凹部が設けられる場合について述べてきたが、本発明はこれに限られるものではない。例えば、溝に加え、又は、溝に換えて、判別手段に突条が設けられてもよい。突条は、例えば削り出しによって形成することが出来る。
【００５５】
また、以上の実施形態においては、複数の判別部１７０が周方向に沿って等間隔に設けられている。しかしながら、例えば、判別部１７０は１つのみ設けられていても良いし、複数の判別部１７０の間に設けられる間隔は等間隔でなくても良い。
【００５６】
また、以上の実施形態においては、判別部１７０が、対物レンズの倍率を表現するように構成されていた。しかしながら、判別部１７０は、同一のセットに含まれる対物レンズ同士を判別出来るように構成されていれば良く、必ずしも倍率等の特性を表現するものでなくても良い。
【００５７】
また、以上の実施形態及び変形例は、全ての点で例示であって制限的なものではないと考えられるべきである。本発明の範囲は、上記説明ではなく特許請求の範囲によって示され、特許請求の範囲と均等の意味及び範囲内での全ての変更が含まれることが意図される。
【符号の説明】
【００５８】
１００…対物レンズのセット、１１０…対物レンズ、１２０…レンズ、１３０…カバー、１５０…取付部、１４０…ローレット部、１６０…情報表記部、１７０…判別部、１７１…溝、２００…鏡筒、３００…リングライト、ｗ１…第１の間隔、ｗ２…第２の間隔。
【図１】
2019109355.tif 000003
【図２】
2019109355.tif 000004
【図３】
2019109355.tif 000005
【図４】
2019109355.tif 000006
【図５】
2019109355.tif 000007
【図６】
2019109355.tif 000008
【図７】
2019109355.tif 000009